(57)【要約】  実施例は、一面と他面を含む光変換モジュール；および前記光変換モジュールの側面に配置される光源モジュールを含み、前記光源モジュールは第１方向に離隔して配置される複数個の発光素子を含み、前記第１方向は前記光変化モジュールの厚さ方向であり、前記複数個の発光素子のうち少なくとも一つは、前記第１方向に前記光変換モジュールの一面より高く配置された照明装置を開示する。
2019537214.tif 000002
【特許請求の範囲】
【請求項１】
一面と他面を含む光変換モジュール；および
前記光変換モジュールの側面に配置される光源モジュールを含み、
前記光源モジュールは第１方向に離隔して配置される複数個の発光素子を含み、
前記第１方向は前記光変化モジュールの厚さ方向であり、
前記複数個の発光素子のうち少なくとも一つは、前記第１方向に前記光変換モジュールの一面より高く配置された、照明装置。
【請求項２】
前記光変換モジュールは、
ベース基板；
前記ベース基板上に配置される光ガイド層；
前記ベース基板と光ガイド層間に配置される反射パターン層を含む、請求項１に記載の照明装置。
【請求項３】
前記反射パターン層は複数個の光学パターンを含み、
前記複数個の光学パターンは、前記複数個の発光素子の出射する光の進行方向と垂直な方向に延びる、請求項２に記載の照明装置。
【請求項４】
前記複数個の発光素子のうち少なくとも一つは、前記光変換モジュールの側面と向かい合うように配置される、請求項１に記載の照明装置。
【請求項５】
前記第１方向に光変換モジュールより高く位置した発光素子から出射した光は、前記光変換モジュールの一面に入射する、請求項１に記載の照明装置。
【請求項６】
前記反射パターン層は
前記ベース基板と光ガイド層間に配置される反射層、および
前記反射層と光ガイド層間に配置され、前記反射層に向かって突出した複数個の光学パターンを含む光学層を含む、請求項２に記載の照明装置。
【請求項７】
前記反射層と光学層間に配置される離隔部を含む、請求項６に記載の照明装置。
【請求項８】
前記反射パターン層は、
前記ベース基板と光ガイド層間に配置され、複数個の光学パターンを含む光学層、および
前記複数個の光学パターン上に配置される反射層を含む、請求項２に記載の照明装置。
【請求項９】
前記光源モジュールは、
第１回路基板および前記第１回路基板上に配置された複数個の発光素子を含む第１光源モジュール；および
第２回路基板および前記第２回路基板上に配置された複数個の発光素子を含む第２光源モジュールを含み、
前記第１回路基板と第２回路基板の延長方向は所定角度を有する、請求項１に記載の照明装置。
【請求項１０】
前記発光素子から出射する光を集光するリフレクターを含み、
前記リフレクターは前記第１方向と平行な方向に形成されたスリットを含む、請求項１に記載の照明装置。
【発明の詳細な説明】
【技術分野】
【０００１】
実施例は線形光を具現できる照明装置に関する。
【背景技術】
【０００２】
一般的に照明装置は、各種光源を利用して暗いところを明るくする装置である。照明装置は特定対象や場所に光を照らして所望の形や色相で雰囲気を表現するのに利用されたりもする。
【０００３】
最近、ＬＥＤ（Ｌｉｇｈｔ  Ｅｍｉｔｔｉｎｇ  Ｄｉｏｄｅ）技術の発展につれてＬＥＤを利用した多様な形態の照明装置が普及されている。例えば、従来技術の照明装置はＬＥＤ光源とＬＥＤ光源から発散する光を拡散させて外部に放出する拡散板を含む。
【０００４】
従来技術の照明装置のほとんどは発光面の全体に均一な光を出力するように構成される。また、所望の形や色相で雰囲気を表現するために、従来技術の一部の照明装置ではカラーフィルタを使用したり、所望の形の投光口を有するフィルタを使用する。
【０００５】
しかし、従来技術の照明装置を利用して所望の形や色相で雰囲気を表現する場合、装置の構成が機構的に複雑となり、そのため、所望の形において設計自由度が制限され、設置や操作が難しい問題がある。このように、所望の形や色相の雰囲気や光イメージを表現するために、簡単な構造を有するとともに設置や操作が簡便な照明装置が要求されている。
【０００６】
また、一部従来技術では導光板上に拡散シート、プリズムシート、保護シートなどの光学シートを付加して面発光性能を高めた照明装置を提案している。
【０００７】
しかし、ＬＥＤ光源を利用する従来の照明装置は、導光板自らの厚さによって全体の製品の厚さを薄型化するのに限界を有する。また、導光板自らの材質が柔軟でないため、屈曲が形成されたハウジングやアプリケーションに適用し難い短所がある。また、導光板により製品の設計およびデザインの変形が容易でない短所を有する。
【０００８】
したがって、室内外照明や車両照明などのような多様な応用製品に容易に適用することができ、所望の光イメージを効果的に具現できる方法が要求されている。
【発明の概要】
【発明が解決しようとする課題】
【０００９】
実施例は線形光の曲げを調節できる照明装置を提供する。
【００１０】
また、厚さの薄い立体照明装置を提供する。
【００１１】
また、印刷回路基板や光学部材を含む照明装置自体に柔軟性を持たせることによって、製品のデザインの自由度を向上させながらも信頼性を確保できる照明装置を提供する。
【００１２】
また、一般照明、デザイン照明、車両照明などの各種照明分野で多様な形状の立体効果を有する光イメージを具現できる照明装置を提供する。
【００１３】
また、光度が向上した照明装置を提供する。
【００１４】
また、多様な形状の立体イメージを具現できる照明装置を提供する。
【課題を解決するための手段】
【００１５】
本発明の一実施例に係る照明装置は、一面と他面を含む光変換モジュール；および前記光変換モジュールの側面に配置される光源モジュールを含み、前記光源モジュールは第１方向に離隔して配置される複数個の発光素子を含み、前記第１方向は前記光変化モジュールの厚さ方向であり、前記複数個の発光素子のうち少なくとも一つは、前記第１方向に前記光変換モジュールの一面より高く配置される。
【００１６】
前記光変換モジュールは、ベース基板；前記ベース基板上に配置される光ガイド層；前記ベース基板と光ガイド層間に配置される反射パターン層を含むことができる。
【００１７】
前記反射パターン層は複数個の光学パターンを含み、前記複数個の光学パターンは前記複数個の発光素子の出射する光の進行方向と垂直な方向に延長され得る。
【００１８】
前記複数個の発光素子のうち少なくとも一つは、前記光変換モジュールの側面と向かい合うように配置され得る。
【００１９】
前記第１方向に光変換モジュールより高く位置した発光素子から出射した光は前記光変換モジュールの上面に入射され得る。
【００２０】
前記反射パターン層は、前記ベース基板と光ガイド層間に配置される反射層、および前記反射層と光ガイド層間に配置され、前記反射層に向かって突出した複数個の光学パターンを含むことができる。
【００２１】
前記反射層と光学層間に配置される離隔部を含むことができる。
【００２２】
前記反射パターン層は、前記ベース基板と光ガイド層間に配置され、複数個の光学パターンを含む光学層、および前記複数個の光学パターン上に配置される反射層を含むことができる。
【００２３】
前記光源モジュールは、第１回路基板および前記第１回路基板上に配置された複数個の発光素子を含む第１光源モジュール；および第２回路基板および前記第２回路基板上に配置された複数個の発光素子を含む第２光源モジュールを含み、前記第１回路基板と第２回路基板の延長方向は所定角度を有することができる。
【発明の効果】
【００２４】
実施例によると、線形光の曲げを調節することができる。
【００２５】
また、厚さの薄い立体照明装置を製作することができる。
【００２６】
また、フレキシブルな照明装置を製作することができる。
【００２７】
また、一般照明、デザイン照明、車両照明などの各種照明分野で多様な形状の立体効果を有する光イメージを具現できる照明装置を製作することができる。
【００２８】
また、実施例によると、光度を向上させることができる。したがって、自動車のランプとしてヨーロッパの配光法規を満足することができる。
【００２９】
また、多様な形状の立体イメージを具現できる照明装置を提供することができる。
【００３０】
本発明の多様かつ有益な長所と効果は前述した内容に限定されず、本発明の具体的な実施形態を説明する過程でより容易に理解されるはずである。
【図面の簡単な説明】
【００３１】
【図１】本発明の一実施例に係る照明装置の概念図。
【図２ａ】発光素子の高さにより光が曲がる原理を説明するための図面。
【図２ｂ】高さの異なる発光素子から出射した線形光を示す写真。
【図３ａ】高さの異なる２個の発光素子から出射した光を正面から見た写真。
【図３ｂ】高さの異なる２個の発光素子から出射した光を６０度角度から見た写真。
【図３ｃ】高さの異なる２個の発光素子から出射した光を７５度角度から見た写真。
【図４】本発明の一実施例に係る照明装置を正面から見た写真。
【図５】本発明の一実施例に係る照明装置を上から見た図面。
【図６】図５で光変換モジュールを除去した状態を示す図面。
【図７ａ】本発明の一実施例に係る照明装置で具現する立体映像を正面から見た写真。
【図７ｂ】本発明の一実施例に係る照明装置で具現する立体映像を右側から見た写真。
【図７ｃ】本発明の一実施例に係る照明装置で具現する立体映像を左側から見た写真。
【図８】本発明の一実施例に係るバイクの後方ランプを示す図面。
【図９】本発明の一実施例に係る照明装置の概念図。
【図１０】図９の光源部の断面図。
【図１１】図９の照明装置から出射した線形光のイメージ。
【図１２】図９の照明装置から出射した光の指向角を示す図面。
【図１３】図９の発光素子から出射した光の指向角を示す図面。
【図１４】図９の変換部の変形例。
【図１５】本発明の他の実施例に係る照明装置の概念図。
【図１６】図１５の光源部の斜視図。
【図１７】図１５の光源部をＲ１方向から見た図面。
【図１８】図１５の照明装置から出射した線形光のイメージ。
【図１９】図１５の照明装置から出射した光の指向角を示す図面。
【図２０】本発明のさらに他の実施例に係る照明装置の概念図。
【図２１】図２０の光源部をＲ１方向から見た図面。
【発明を実施するための形態】
【００３２】
本実施例は他の形態に変形または多様な実施例が互いに組み合わせられ得、本発明の範囲は以下で説明するそれぞれの実施例に限定されるものではない。
【００３３】
特定の実施例で説明された事項が他の実施例で説明されておらずとも、他の実施例でその事項と反対または矛盾する説明がない限り、他の実施例に関連した説明と理解され得る。
【００３４】
例えば、特定の実施例で構成Ａに対する特徴を説明し、他の実施例で構成Ｂに対する特徴を説明したとすれば、構成Ａと構成Ｂが結合された実施例が明示的に記載されていなくても反対または矛盾する説明がない限り、本発明の権利範囲に属するものと理解されるべきである。
【００３５】
実施例の説明において、いずれか一つのｅｌｅｍｅｎｔが他のｅｌｅｍｅｎｔの「上（うえ）または下（した）（ｏｎ  ｏｒ  ｕｎｄｅｒ）」に形成されるものと記載される場合において、上（うえ）または下（した）（ｏｎ  ｏｒ  ｕｎｄｅｒ）は、二つのｅｌｅｍｅｎｔが互いに直接（ｄｉｒｅｃｔｌｙ）に接触したり、一つ以上の他のｅｌｅｍｅｎｔが前記二つのｅｌｅｍｅｎｔの間に配置されて（ｉｎｄｉｒｅｃｔｌｙ）形成されるものをすべて含む。また「上（うえ）または下（した）（ｏｎ  ｏｒ  ｕｎｄｅｒ）」と表現される場合、一つのｅｌｅｍｅｎｔを基準として上側方向だけでなく下側方向の意味も含み得る。
【００３６】
以下では、添付した図面を参照して本発明の実施例について、本発明が属する技術分野で通常の知識を有する者が容易に実施できるように詳細に説明する。
【００３７】
図１は本発明の一実施例に係る照明装置の概念図であり、図２ａは発光素子の高さにより光が曲がる原理を説明するための図面であり、図２ｂは高さの異なる発光素子から出射した線形光を示す写真である。
【００３８】
図１を参照すると、実施例に係る照明装置は、一面Ｐ１と他面を含む光変換モジュール１００、および光変換モジュール１００の側面に配置される光源モジュール２００を含む。
【００３９】
光源モジュール２００は、回路基板２１０および第１方向（Ｙ方向）に離隔して配置される複数個の発光素子２０１、２０２、２０３を含む。回路基板２１０は光変換モジュール１００の側面に配置されて第１方向に延長配置され得る。複数個の発光素子２０１、２０２、２０３は第１方向に沿って離隔して配置され得る。ここで、第１方向は光変換モジュール１００の厚さ方向であるか平面と交差する方向であり得る。
【００４０】
図１では光源モジュール２００と光変換モジュール１００が９０度角度で配置されたものを例示したが、必ずしもこれに限定されない。例示的に、光源モジュール２００と光変換モジュール１００は、９０度より小さい角度を有するように配置されてもよい。すなわち、光源モジュール２００の光源から出射した光が光変換モジュール１００に入射して観察者に観察され得るように、角度は適切に調節され得る。
【００４１】
複数個の発光素子２０１、２０２、２０３の離隔距離は特に制限されない。例示的に、複数個の発光素子２０１、２０２、２０３の第１方向離隔距離は５ｍｍ〜５０ｍｍであり得る。離隔距離が５ｍｍ以下である場合には線形光の間隔が過度に狭くなって立体感を感じることが難くなり得、５０ｍｍを超過する場合は間隔が過度に大きくなって統一された立体映像を具現することが困難であり得る。
【００４２】
実施例によると、複数個の発光素子２０１、２０２、２０３のうち少なくとも一つは、第１方向に光変換モジュール１００の一面Ｐ１より高い位置に配置され得る。
【００４３】
また、複数個の発光素子２０１、２０２、２０３のうち少なくとも一つは、光変換モジュール１００の側面と向かい合うように配置され得る。
【００４４】
例示的に、最も下部に配置された第１発光素子２０１は光変換モジュール１００の側面と向かい合うように配置され得、第２発光素子２０２と第３発光素子２０３は第１方向に光変換モジュール１００より高い位置に配置され得る。
【００４５】
第１発光素子２０１から出射した光Ｌ１は光変換モジュール１００の側面に入射され得る。これに対し、第２発光素子２０２と第３発光素子２０３から出射した光Ｌ２は光変換モジュール１００の一面Ｐ１に入射され得る。
【００４６】
第２発光素子２０２と第３発光素子２０３から出射した光Ｌ２は、光変換モジュールの上面に入射する距離だけ第１発光素子２０１よりも長くなり得る。すなわち、発光素子が高く配置されるほど光経路は長くなる。
【００４７】
光変換モジュール１００は、第１ベース基板１１０、第１ベース基板１１０上に配置される光ガイド層１５０、および第１ベース基板１１０と光ガイド層１５０の間に配置される反射パターン層１８０を含む。
【００４８】
第１ベース基板１１０は所定の厚さを有する基板であり得る。第１ベース基板１１０は光変換モジュール１００を支持する基板であり得る。第１ベース基板１１０はプラスチック材質であり得るが必ずしもこれに限定されない。第１ベース基板１１０はブラケットであり得る。
【００４９】
光ガイド層１５０は透明基材を含むことができる。光ガイド層１５０は２％以下のヘイズ（Ｈａｚｅ）を有するプレートまたはフィルム状の透明部材を含むことができる。また、光ガイド層１５０の光透過率は８０％以上であることが好ましいが、これに限定されはしない。
【００５０】
光ガイド層１５０の光透過率は、線形光、立体光または立体効果線形光の具現時に所望の形状の線形光や立体効果を有する光イメージにより約６０％以上で選択され得る。光ガイド層１５０の光透過率が６０％よりも小さいと、線形光または立体光を適切に表現するのが難しくなり得る。
【００５１】
光ガイド層１５０は一面と他面を有することができる。光ガイド層１５０はプレートまたはフィルムである場合、一面と他面は光ガイド層１５０の他面と比べて相対的に面積が広く、略互いに平行な二つの面を有することができる。一面は光が放出される光出射面であり得る。
【００５２】
光ガイド層１５０はガラス（Ｇｌａｓｓ）、レジン（Ｒｅｓｉｎ）等を含むことができる。光ガイド層１５０の材料としては、熱可塑性高分子、光硬化性高分子などが利用され得る。具体的には、光ガイド層１５０の材料は、ポリカーボネート（Ｐｏｌｙｃａｒｂｏｎａｔｅ）、ポリメチルメタクリレ−ト（Ｐｏｌｙｍｅｔｈｙｌｍｅｔｈａｃｒｙｌａｔｅ）、ポリスチレン（Ｐｏｌｙｓｔｙｒｅｎｅ）、ポリエチレンテレフタレート（Ｐｏｌｙｅｔｈｙｌｅｎｅ  ｔｅｒｅｐｈｔｈａｌａｔｅ）等であり得るが、これに限定されはしない。
【００５３】
光ガイド層１５０の厚さは１００μｍ〜２５０μｍであり得る。この場合、光ガイド層１５０はロール（ｒｏｌｌ）装置に適切に巻かれる程度の柔軟性を有することができる。また、具現によって光ガイド層１５０の厚さは２５０μｍ〜１０．０ｍｍであり得る。この場合、光ガイド層１５０はロール（ｒｏｌｌ）装置に巻くことが難しいので、プレート状を有して応用製品に適用され得る。保護層１６０は光ガイド層１５０の上部に配置され得る。保護層はＰＥＴフィルムであり得る。
【００５４】
反射パターン層１８０は、第１ベース基板１１０と光ガイド層１５０の間に配置される反射層１２０、および反射層１２０と光ガイド層１５０の間に配置されて反射層１２０に向かって突出した複数個のパターン１４１を含む光学層１４０を含むことができる。この時、反射層１２０と光学層１４０の間には離隔部１３０が形成され得る。離隔部１３０は、接着層１７０が配置された空間以外の残りの空いた空間と定義することができる。離隔部１３０により入射する光の反射効率が増加し得、深さ感を有する線形光の具現に有利であり得る。
【００５５】
反射層１２０はコーティング層や反射フィルムであり得る。本実施例で反射層１２０は平たい反射フィルムであり得るが、必ずしもこれに限定されない。
【００５６】
反射層１２０を利用すると、後述する光学層１４０の複数のパターン１４１により反射および屈折されて光ガイド層１５０の一面を通過して、光ガイド層１５０の外部に進行しようとする光を反射させて光ガイド層１５０の内部に再び反射することができる。
【００５７】
このような構成によると、光学層１４０を通じて表現しようとする線形光や立体効果線形光の光イメージに変化を与えて光イメージをさらに明確に表現することができる。
【００５８】
反射層１２０の配置時、離隔部１３０の間隔は０超過、数μｍ以下に設計することができる。これは離隔部１３０での光の所望しない散乱によって、光学層１４０で線形光または立体効果線形光がよく具現されないことを防止するためである。もちろん、具現によっては、反射層１２０は離隔部１３０が省略されるように光ガイド層１５０の他面に密着配置されてもよい。
【００５９】
反射パターン層１８０は第３方向（Ｘ方向）に配列された複数個のパターン１４１を含み、複数個のパターン１４１は複数個の発光素子２０１、２０２、２０３から出射する光の進行方向と垂直な方向（Ｚ方向）に延長され得る。したがって、入射した光は垂直なパターン１４１により上側で反射されて第３方向に連続的な線形光（ｌｉｎｅ  ｓｈａｐｅｄ  ｌｉｇｈｔ）を具現できる。
【００６０】
複数のパターン１４１は反射層１２０に向かって膨らんで形成され、傾斜面１４１ａを有することができる。各パターン１４１の傾斜面１４１ａは光ガイド層１５０の内部で反射する入射光を光ガイド層１５０の外部に順次放出させることができる。
【００６１】
傾斜面１４１ａは入射光の乱反射を制限し、入射光が入射角に戻る光が殆どないように制御することができる。すなわち、傾斜面１４１ａは入射光の屈折および正反射によって入射光をあらかじめ設定された方向に誘導することができる。
【００６２】
本実施例で複数のパターン１４１は別途の光学層１４０に形成されたものと説明したが、必ずしもこれに限定されるものではなく、光ガイド層１５０の他面に直接形成されてもよい。
【００６３】
また、光学層１４０のパターン１４１は光ガイド層１５０に向かって突出し、反射層１２０は光学層１４０と光ガイド層１５０の間に配置され得る。したがって、反射層１２０はパターン１４１に沿って凹凸状を有することができる。
【００６４】
前述した構成によると、光ガイド層１５０の内部で移動する光（入射光）は、光学層１４０の複数のパターン１４１により反射および屈折され、このような誘導光によって照明装置は複数のパターン１４１の延長方向と直交する第１経路の線形光（ｌｉｎｅ  ｓｈａｐｅｄ  ｌｉｇｈｔ）を具現できる。
【００６５】
光学層１４０の各パターン１４１の傾斜面１４１ａと会う光は、その入射角により屈折するか反射する。すなわち、入射角が臨界角θｃより小さいと、光ガイド層１５０を通る光は一面またはパターン１４１を透過しながら屈折率の差により屈折されて進行する。また、光ガイド層１５０を通る光は入射角が臨界角θｃ以上である時に一面またはパターン１４１の傾斜面１４１ａで反射する。
【００６６】
したがって、順次配列され、傾斜面１４１ａを有する複数のパターン１４１を利用すれば、光学層１４０上に線形光または立体効果線形光を表現することができる。複数のパターン１４１の各パターン延長方向を所望の方向に設計すれば、光学層１４０を通る入射光の光経路を各パターン延長方向と直角である経路（第１経路）に限定しつつ、第１経路上で入射光の第１面方向への順次放出を誘導して入射光の光幅および光度を所望の形状に制御することができる。
【００６７】
ここで、線形光は基準点または観測地点の位置により、第１経路の光が周辺領域の光に比べて相対的に明確に見える光を指し示し得る。
【００６８】
パターン延長方向（ｚ方向）は傾斜面１４１ａ上の特定の直線が延長される方向であるかまたは傾斜面１４１ａ上の曲線に接する特定の接線が延長される方向である。パターン延長方向は、複数のパターン１４１に光を照らす光源の出射光に対する光経路を、所望の方向すなわち第１経路に限定して誘導するように設計される。すなわち、各パターン１４１の傾斜面１４１ａの延長方向は、略パターンの配列面と平行し第１経路と直交する方向に延長されるように設けられる。
【００６９】
図１および図２ａを参照すると、発光素子から出射した光は光ガイド層１５０と空気の屈折率差によって屈折する。ここで、θＡは光ガイド層から出た光（Ｉｎ  Ａｉｒ）が観察者（Ｄｅｔｅｃｔｏｒ）に入る角度で、θｄモジュールの中心と観察者の間の角度で、θｎは光ガイド層内で光の屈折角度であり、ＯＣは光源からモジュールの中心までの距離であり、ＯＡはモジュールの中心から光が空気中に出る地点までの距離である。
【００７０】
この時、光変換モジュール１００の側面に配置された第１発光素子２０１から出射した光に比べ、光変換モジュール１００の上部に配置された第２発光素子２０２から出射した光は光経路（ＡＣ）が長くなる。したがって、第２発光素子２０２および第３発光素子２０３から出射した光は相対的にθｎが小さくなって曲げが小さくなる。
【００７１】
図２ｂを参照すると、光変換モジュール１００の上面で高く配置されるほど線形光の曲げが小さくなることが分かる。例示的に、光変換モジュールの側面に配置された第１発光素子２０１から出射した第１線形光ＬＳ１が最も曲がっていることが分かる。光変換モジュールの上に配置された第２発光素子２０２から出射した第２線形光ＬＳ２は、第１線形光ＬＳ１に比べてより少なく曲がるようになる。また、最も高く配置された第３発光素子２０３から出射した第３線形光ＬＳ３は最も少なく曲がることが分かる。この時、第１線形光ＬＳ１、第２線形光ＬＳ２、第３線形光ＬＳ３の終端Ｎ１は互いに会うことができる。したがって、これを利用すれば、発光素子の高さを調節して多様な曲率を有する線形光を具現できる。
【００７２】
図３ａは高さの異なる２個の発光素子から出射した光を正面から見た写真であり、図３ａは高さの異なる２個の発光素子から出射した光を６０度角度から見た写真であり、図３ａは高さの異なる２個の発光素子から出射した光を７５度角度から見た写真である。
【００７３】
図３ａを参照すると、光変換モジュール１００の側面に第１発光素子２０１を配置し、第１発光素子２０１より１０ｍｍ高く第２発光素子２０２を配置した場合、正面から観察すると、第１発光素子２０１から出射した光１と第２発光素子２０２から出射した光２は位置がほぼ同じであることが分かる。
【００７４】
しかし、図３ｂおよび図３ｃのように、側面から観察する場合、第２発光素子２０２から出射した第２線形光ＬＳ２は観察者の視線により大きく曲がるようになり、第１発光素子２０１から出射した第１線形光ＬＳ１の場合、レジンの屈折率により傾き角度は約４２度程度の限界値を有することを確認した。すなわち、発光素子を光変換モジュール１００より高く配置する場合、一定の角度（約４２度）以下では図２ｂのように第１線形光ＬＳ１の曲げがより大きいが、一定の角度以上傾いた角度で観察すると、第２線形光ＬＳ２の曲げ角度がより大きいことを確認することができる。
【００７５】
図４は本発明の一実施例に係る照明装置を正面から見た写真であり、図５は本発明の一実施例に係る照明装置を上から見た図面であり、図６は図５で光変換モジュールを除去した状態を示す図面である。
【００７６】
図４〜図６を参照すると、光源モジュール２００は、第２ベース基板２２０上に配置される第１回路基板２１１と第２回路基板２１２を含む。第２ベース基板２２０は、半円状の溝２２２が形成され、溝２２２の外周面には回路基板が固定されるスリット２２１が形成される。したがって、第１回路基板２１１と第２回路基板２１２の間の角度θ２を調節することができる。
【００７７】
第１回路基板２１１と第２回路基板２１２にはそれぞれ複数個の発光素子２０１、２０２、２０３が配置され得る。この時、第１回路基板２１１と第２回路基板２１２の第１発光素子２０１は、光変換モジュール１００の側面に配置され得る。また、第２、第３発光素子は第１方向（Ｙ方向）に光変換モジュール１００の一面Ｐ１より高く配置され得る。
【００７８】
この時、第２、第３発光素子２０２、２０３は光変換モジュール１００より高く配置されて、第１発光素子２０１により生成される線形光と異なる曲線の線形光を具現できる。
【００７９】
図７ａは本発明の一実施例に係る照明装置で具現する立体映像を正面から見た写真であり、図７ｂは本発明の一実施例に係る照明装置で具現する立体映像を正面から見た写真であり、図７ｃは本発明の一実施例に係る照明装置で具現する立体映像を正面から見た写真である。
【００８０】
図７ａ〜図７ｃを参照すると、複数個の発光素子２０１、２０２、２０３から放出された光は、上部に行くほど曲がって上部の中心の終端Ｎ１で収束する立体光を形成することができる。立体映像は側面から観察すると、立体感をさらに感じることができる。
【００８１】
図８は、本発明の一実施例に係るバイクの後方ランプを示す図面である。
【００８２】
本実施例の照明装置は自動車の照明に限定されず、フィルム形態の柔軟な照明装置として、建物、設備、家具などの照明設置対象の内外側の曲面部や屈曲部に適用され得る。その場合、アウターレンズ５１０は、光ガイド部、光ガイド部と立体効果形成部および反射部が組み合わせられた光学部材および／または光源部を支持する支持部材またはハウジングとなり得る。この場合、アウターレンズ５１０は外部で内部が見える一定水準以上の光透過率または透明度を有することができる。
【００８３】
図８を参照すると、実施例の照明装置は二輪自動車（モーターサイクル、１０００）の後尾灯として機能することもできる。
【００８４】
図９は本発明の一実施例に係る照明装置の概念図であり、図１０は図９の光源部の断面図であり、図１１は図９の照明装置から出射した線形光のイメージであり、図１２は図９の照明装置から出射した光の指向角を示す図面であり、図１３は図９の発光素子から出射した光の指向角を示す図面である。
【００８５】
図９および図１０を参照すると、実施例に係る照明装置は、第１プレート３１０、第２プレート３２０、第１プレート３１０上に配置される変換部３３０、および第２プレート３２０上に配置されて変換部３３０に向かって光を出射する光源部３１４を含む。
【００８６】
第１プレート３１０と第２プレート３２０は、それぞれ変換部３３０と光源部３１４を支持できる構造であれば特に制限されない。例示的に、第１プレート３１０と第２プレート３２０は車両ランプのブラケットであり得るが、必ずしもこれに限定されない。第１プレート３１０と第２プレート３２０は一体に製作されてもよい。
【００８７】
変換部３３０は、第１プレート３１０上に配置される反射層３２２、および反射層３２２上に配置される光学パターン層３２１を含むことができる。変換部３３０は光源から出射した光Ｌ１を線形光に変換する機能を遂行することができる。このような線形光は、変換部３３０の厚さ方向（Ｙ方向）に立体感（深さ感）を有し得る。すなわち、観察者は線形イメージが一方向に行くほど遠くなるか近くなると認知し得る。
【００８８】
反射層３２２は第１プレート３１０の一面上に配置され得る。反射層３２２は反射効率が高い材質を含んでいるため、光源部３１４から出射した光を反射することができる。反射層３２２により照明装置は光損失を減らし、立体効果を有する線形光をさらに鮮明に表現することができる。
【００８９】
反射層３２２は光の反射特性および光の分散を促進する特性を増加させるために、白色顔料を分散含有する合成樹脂が利用され得る。例えば、白色顔料は、酸化チタン、酸化アルミニウム、酸化亜鉛、炭酸塩、硫酸バリウム、炭酸カルシウムなどを含むことができる。合成樹脂原料としては、ポリエチレンテレフタレート、ポリエチレンナフタレート、アクリル、ポリカーボネート、ポリスチレン、ポリオレフィン、セルロースアセテート、耐候性塩化ビニルなどを含むことができるが、これに限定されるものではない。さらに他の実施例で、反射層３２２は銀（Ａｇ）、アルミニウム（Ａｌ）、ステンレス鋼などを含むこともできる。
【００９０】
光学パターン層３２１は第２方向（Ｚ軸方向）に延長され第３方向（Ｘ軸方向）に離隔した複数個の光学パターン３２１ａを含むことができる。光学パターン３２１ａは、第２方向に連続配置されるか所定の間隔で離隔して配置され得る。光学パターン３２１ａは第２方向（Ｚ軸方向）に延長された半円柱状であり得るが必ずしもこれに限定されない。例示的に光学パターン３２１ａは断面がプリズム形状でもよい。
【００９１】
光源部３１４は、第１プレート３１０に配置される基板３１１、基板３１１上に配置される少なくとも一つの発光素子３１２、および発光素子３１２から出射する光を集光するリフレクター３１３を含むことができる。
【００９２】
基板３１１は外部電源を発光素子３１２に印加できる回路基板であり得る。例示的に基板３１１は、セラミック本体に回路パターンが形成され得るが必ずしもこれに限定されない。
【００９３】
発光素子３１２は発光ダイオードまたは有機発光ダイオードであり得る。発光素子３１２は青色波長帯、緑色波長帯、または赤色波長帯の光を出射することができる。選択的に発光素子３１２上には蛍光体のような波長変換層（図示されず）が配置されてもよい。
【００９４】
発光素子３１２は光学パターン層３２１に光を照射できるように、第１プレート３１０と第２プレート３２０がなす内角θ１は１０度〜８０度であり得る。角度θ１が１０度より小さい場合、発光素子３１２が光学パターン層３２１に過度に近く配置されて外部から光が観察されなくなり得、角度θ１が８０度より大きい場合、発光素子３１２の光軸が光学パターン層３２１に入射されないため外部から光が観察されなくなり得る。
【００９５】
発光素子３１２は、出射した光が光学パターン３２１ａが延長された第２方向（Ｚ方向）と交差するように配置され得る。したがって、殆どの発光素子３１２から出射した光は第２方向（Ｚ方向）と交差することになる。観察者は発光素子３１２から出射した光のうち、第２方向（Ｚ方向）と垂直な第３方向（Ｘ方向）に進行する光を観察することになる。光学パターン３２１ａの間隔が十分に狭いのであれば、観察者は線形のイメージを観察することができる。図１１を参照すると、光源から遠くなるほど目から遠くなる深さ感を感じることができる。
【００９６】
リフレクター３１３は発光素子３１２から出射した光を集光する役割を遂行することができる。実施例によると、発光素子３１２から出射した光は、光学パターン層３２１に入射した後に反射層３２２に再び反射されて外部に出射され得る。この過程で最終光の出力が低くなり得る。車両のテールランプ（Ｔａｉｌ  ｌａｍｐ）やストップランプ（Ｓｔｏｐ  ｌａｍｐ）として機能するためには、所定の光度を満足しなければならない。したがって、実施例ではリフレクター３１３により発光素子３１２から出射する光を最大限集光して光度（Ｌｕｍｉｎｏｕｓ  Ｉｎｔｅｎｓｉｔｙ）を向上させることができる。
【００９７】
リフレクター３１３は従来ランプのリフレクター３１３とは異なり、指向角を狭めて光度を向上させることができる。例示的に、リフレクター３１３は下端部（基板に近い地点）の直径と上端部の直径の比が１：１．２〜１：３であり得る。これを満足する場合、指向角を狭めて光度を向上させることができる。
【００９８】
図１２を参照すると、実施例に係る照明装置で最終的に出射した光の指向角は５０度以下（−２２．５〜２２．５度）であり、光度は３７．５３（ｃｄ）と測定された。これに対し、図１３を参照すると、リフレクターがない発光素子３１２から出射した光の指向角は１２０度以上であり、光度は７．５８６（ｃｄ）と測定された。すなわち、リフレクターは図１３の光を図１２の光に変換させることができる。
【００９９】
実施例によると、リフレクター３１３により指向角が減少する反面、光度が向上したことが分かる。したがって、少ない個数のＬＥＤを利用して車両の配光法規を満足することができる。
【０１００】
図１４を参照すると、変換部３３０は反射層３２２、および複数個の光学パターン３２１ａを含む光学パターン層３２１を含むことができる。この時、反射層３２２と光学パターン層３２１の間には離隔部３２４が形成され得る。離隔部３２４は接着層が配置された空間以外の残りの空いた空間と定義することができる。
【０１０１】
光学パターン層３２１は複数の光学パターン３２１ａを含むことができる。複数の光学パターン３２１ａは反射層３２２に向かって膨らんで形成され、傾斜面を有することができる。例示的に、光学パターン３２１ａはプリズム状を有することができる。傾斜面は入射光の屈折および正反射によって入射光をあらかじめ設定された方向に誘導するように設計され得る。
【０１０２】
図１５は、本発明の他の実施例に係る照明装置の概念図である。図１６は、図１５の光源部の斜視図である。図１７は、図１５の光源部をＲ１方向から見た図面である。図１８は、図１５の照明装置から出射した線形光のイメージである。図１９は、図１５の照明装置から出射した光の指向角を示す図面である。
【０１０３】
図１５および図１６を参照すると、他の実施例に係る照明装置は、第１プレート３１０、第２プレート３２０、第１プレート３１０上に配置される変換部３３０、および第２プレート３２０上に配置されて光学パターン層３２１に向かって光を出射する光源部３１４を含む。
【０１０４】
光源部３１４は、第２プレート３２０上に配置される基板３１１、基板３１１に配置される発光素子３１２、および発光素子３１２の光を集光するリフレクター３１３を含む。
【０１０５】
リフレクター３１３は、第１プレート３１０の厚さ方向である第１方向（Ｙ方向）と平行な方向にスリットＳ１が形成され得る。したがって、リフレクター３１３は第１、第２リフレクター３１３ａ、１１３ｂで離隔され得る。発光素子３１２から出射する光のうち、厚さ方向と平行な方向から出射した光はリフレクター３１３により反射せずにスリットＳ１を通過してそのまま放出され得る。これとは異なり、厚さ方向と垂直な方向（Ｚ軸方向）から出射した光はリフレクター３１３により集光されて光の強度が強くなり得る。したがって、相対的に線幅の太い線形光を具現できる。
【０１０６】
図１７を参照すると、発光素子３１２の第２方向（Ｚ軸方向）幅とスリット（Ｓ）の幅の比は、１：０．８〜１：３であり得る。幅の比が１：０．８より小さくなるか１：３より大きくなる場合、厚さ方向と平行な方向から出射した光と垂直な方向から出射した光の強度が類似してきて線幅の太い線形光を具現することが難しくなり得る。幅の比が１：０．８より小さくなるか１：３を満足する場合、図１８のように線幅の太い線形光を具現できる。
【０１０７】
図２０は、本発明のさらに他の実施例に係る照明装置の概念図である。図２１は、図２０の光源部をＲ１方向から見た図面である。
【０１０８】
リフレクター３１３は第２方向（Ｚ方向）と平行な方向にスリットＳ２が配置され得る。したがって、リフレクター３１３は第１、第２リフレクター３１３ｃ、１１３ｄで離隔することができる。発光素子３１２から出射する光のうち、第２方向（Ｚ方向）と平行な方向から出射した光はリフレクター３１３により反射せずにそのまま放出され得る。これとは異なり、厚さ方向と平行な方向から出射した光はリフレクター３１３により集光されて光の強度が強くなり得る。したがって、相対的に線幅の細い線形光を具現できる。
【０１０９】
本実施例の照明装置は車両用照明装置に限定されず、フィルム形態の柔軟な照明装置として、建物、設備、家具などの照明設置対象の内外側曲面部や屈曲部に適用され得る。その場合、アウターレンズは光ガイド部、光ガイド部と立体効果形成部および反射部が組み合わせられた光学部材および／または光源部を支持する支持部材またはハウジングとなり得る。この場合、アウターレンズは外部から内部が見える一定水準以上の光透過率または透明度を有することができる。実施例の照明装置はモーターサイクルの後尾灯として機能することもできる。
【０１１０】
以上、本発明の技術的思想を例示するための好ましい実施例と関連して説明し図示したが、本発明はこのように図示され説明されたそのままの構成および作用にのみ限定されず、技術的思想の範疇を逸脱することなく本発明に対して多数の適切な変形および修正が可能であることを、本発明が属する技術分野で通常の知識を有する者はよく理解できるはずである。したがって、そのようなすべての適切な変形および修正と均等物も本発明の範囲に属するものと見なされるべきである。
【図１】
2019537214.tif 000003
【図２ａ】
2019537214.tif 000004
【図２ｂ】
2019537214.tif 000005
【図３ａ】
2019537214.tif 000006
【図３ｂ】
2019537214.tif 000007
【図３ｃ】
2019537214.tif 000008
【図４】
2019537214.tif 000009
【図５】
2019537214.tif 000010
【図６】
2019537214.tif 000011
【図７ａ】
2019537214.tif 000012
【図７ｂ】
2019537214.tif 000013
【図７ｃ】
2019537214.tif 000014
【図８】
2019537214.tif 000015
【図９】
2019537214.tif 000016
【図１０】
2019537214.tif 000017
【図１１】
2019537214.tif 000018
【図１２】
2019537214.tif 000019
【図１３】
2019537214.tif 000020
【図１４】
2019537214.tif 000021
【図１５】
2019537214.tif 000022
【図１６】
2019537214.tif 000023
【図１７】
2019537214.tif 000024
【図１８】
2019537214.tif 000025
【図１９】
2019537214.tif 000026
【図２０】
2019537214.tif 000027
【図２１】
2019537214.tif 000028
【国際調査報告】
2019537214.tif 000029
2019537214.tif 000030
2019537214.tif 000031
2019537214.tif 000032